(57)【要約】【課題】簡単な構成で、踵の内反と外反を抑制すると共に、スポーツのパフォーマンスを向上することができる足首用装着具、足首用装着具の装着方法及び足首固定用の伸縮ベルトを提供することを目的とする。【解決手段】本発明に係る足首用装着具１は、外踝１２と内踝１３の上方において足首１５を周回する足首周回部６ｃ、外踝１２と内踝１３の後方において踵１４を周回する踵周回部６ｂ、及び足背１０と足底１１との間を周回する足背底周回部６ａを有する伸縮性の装着具本体２と、装着具本体２の一端の表側に設けられた表側面ファスナー３と、装着具本体２の他端の裏側に設けられた裏側面ファスナー４とを備えたことを特徴とする。【選択図】図５
2014198159.tif 000002
【特許請求の範囲】
【請求項１】
足首に装着する足首用装着具であって、
踝の上方において足首を周回する足首周回部、踝の後方において踵を周回する踵周回部、及び足背と足底との間を周回する足背底周回部を備えた伸縮性の装着具本体を有することを特徴とする足首用装着具。
【請求項２】
前記装着具本体が帯体で構成され、当該帯体が前記足首周回部、前記踵周回部、及び前記足背底周回部を有する請求項１に記載の足首用装着具。
【請求項３】
前記足首周回部、前記踵周回部、及び前記足背底周回部がそれぞれ輪で構成され、前記足首周回部と前記踵周回部とが連結され、前記踵周回部と前記足背底周回部とが連結された請求項１に記載の足首用装着具。
【請求項４】
前記足首周回部、前記踵周回部、及び前記足背底周回部のうちいずれかが輪で構成され、前記足首周回部、前記踵周回部、及び前記足背底周回部のうち前記輪で構成しないものが帯体で構成され、前記足首周回部と前記踵周回部とが連結され、前記踵周回部と前記足背底周回部とが連結され、前記帯体の一端の表側に表側面ファスナーが設けられ、該帯体の他端の裏側に裏側面ファスナーが設けられている請求項１に記載の足首用装着具。
【請求項５】
前記装着具本体の一端の表側に設けられた表側面ファスナーと、前記装着具本体の他端の裏側に設けられた裏側面ファスナーとを備えた請求項１又は２に記載の足首用装着具。
【請求項６】
前記装着具本体の肌側面に、糸の編み合わせによるナノファイバーが配向されている請求項１〜５のいずれか１項に記載の足首用装着具。
【請求項７】
請求項１、２又は５に記載の足首用装着具の装着方法であって、
前記装着具本体の一端を足背の一側部から足底にまわすと共にその他端を足背の他側部から足底にまわして前記一端側の前記装着具本体と前記他端側の前記装着具本体とを足底で交差させる工程と、
前記一端側の前記装着具本体を内踝又は外踝の下部に当てると共に前記他端側の前記装着具本体を外踝又は内踝の下部に当てた状態で、踵において前記一端側の前記装着具本体と前記他端側の前記装着具本体とを交差させる工程と、
前記表側面ファスナーと前記裏側面ファスナーとを足首の前側に当て接着させる工程と、を有することを特徴とする足首用装着具の装着方法。
【請求項８】
スポーツ競技者の足首固定用の等幅伸縮ベルトであって、幅が２３ｍｍ〜２７ｍｍであり、長さが６００ｍｍ〜６８０ｍｍであることを特徴とする足首固定用の伸縮ベルト。
【請求項９】
スポーツ競技者の足首固定用の等幅伸縮ベルトであって、幅が２８ｍｍ〜３２ｍｍであり、長さが７１０ｍｍ〜８１０ｍｍであることを特徴とする足首固定用の伸縮ベルト。
【発明の詳細な説明】
【技術分野】
【０００１】
本発明は、足首に装着する足首用装着具、足首用装着具の装着方法及び足首固定用の伸縮ベルトに関するものである。
【背景技術】
【０００２】
踵の外反及び内反を抑制する装具として、踵を支持するサポーターが数多く提案されている（例えば、特許文献１〜５参照）。
【０００３】
上記特許文献１には、足関節に起こる内外反捻挫を効果的に防ぐことができる足関節用サポーターが提案されている。この足関節用サポーターは、内側に滑り止め機能を有し外側に面ファスナー雌機能を有する縦横に伸縮する生地で構成された本体及び補助ベルトからなり、本体の外側から補助ベルトによって足関節を圧迫し、該補助ベルトの複数の包み込みベルトを足底部から上方に引き上げることにより、外反及び内反を防止するものである。
【０００４】
また特許文献２には、背屈運動を促す足関節矯正保護バンドが提案されている。この足関節矯正保護バンドは、伸縮自在の足首保護帯に伸縮自在の足裏保護帯２をＴ字に連結したものであって、Ｔ字連結部及びその下端部に弾力性伸縮材が取り付けられている。この弾力性伸縮材により、足関節の背屈角が増加して歩行時の背屈運動を促すことにつながると記載されている。また、足首保護帯には衝撃吸収材料のパッドが設けられ、このパッドをアキレス腱に当てるようになっており、これにより歩行時荷重によるアキレス腱の圧縮を緩和できるとされる。
【０００５】
また特許文献３には、足首が内側に捻れるのを防止する内反捻挫防止具が提案されている。この内反捻挫防止具を装着する際には、くぼみ当てパッドが外くるぶしの下部のくぼみに当たるように位置合わせし、第１当接部を足の甲側に引っ張りながら巻き、ベルト部材を同じく引っ張りながら足裏から足の甲に向けて巻回し固定する。そして、第２、第３当接部を持ってベルト部材を上向きに引っ張りながら、第２当接部を内くるぶしの上側に向けて巻回し、第３当接部を足首の裏側から内くるぶしの上側に向け巻き回し固定する。この内反捻挫防止具によれば、ベルト部材の下端は足に固定され、上端は外くるぶしの上方に固定され、ベルト部材は伸縮性がないため、足が内側に回転して捻れようとしたとき、それを止める抗力が強く働くとされる。
【０００６】
また特許文献４にも足首の内反捻挫防止具が提案されている。この内反捻挫防止具によれば、足裏が内側に回転しようとすると、足の内側が縮むのを板状部材の剛性で防止すると共に、足の外側が伸びるのをテープ部材による引張抗力で防止する。これにより、板状部材による足の内側の縮み防止作用とテープ部材による足の外側の伸び防止作用とが協働して足の内側への回転を防止するので、内反捻挫の防止効果が向上すると記載されている。
【０００７】
さらに特許文献５には、底背屈の動きを妨げず、内外反を抑制する足関節テーピングサポータが提案されている。このサポータによれば、スターアップの一端がアンカーに固定され、内果と外果とを通るように足の内側から足底を回して外側に引き上げて巻き締めることから、足首を内反方向に付勢することがなく、外反方向に付勢して装着し得るとされる。これにより、足首の内反をより確実に防止するとされる。
【先行技術文献】
【特許文献】
【０００８】
【特許文献１】特開２００９−１１４５７７号公報
【特許文献２】特開２００５−０８７７０８号公報
【特許文献３】特開２００１−２３８９９２号公報
【特許文献４】特開平１１−００９７５４号公報
【特許文献５】特開平１０−２４８８６５号公報
【発明の概要】
【発明が解決しようとする課題】
【０００９】
しかしながら、上記特許文献１〜４に記載の装具では、足首全体の動きが制限されてしまうため、捻挫等の怪我の予防にはなるが、パフォーマンス向上にはつながらない上、その構造も複雑である。また、特許文献５に記載の装具は、足首の前側にストラップが重なる構造になっているため、背屈した際の肌あたりが悪く且つ背屈動作が抑制されてしまう。
【００１０】
本発明は上記のような事情に鑑みてなされたものであり、簡単な構成で、踵の内反と外反を抑制すると共に、スポーツのパフォーマンスを向上することができる足首用装着具、足首用装着具の装着方法及び足首固定用の伸縮ベルトを提供することを目的とする。
【課題を解決するための手段】
【００１１】
本発明に係る足首用装着具は、足首に装着する足首用装着具であって、
踝の上方において足首を周回する足首周回部、踝の後方において踵を周回する踵周回部、及び足背と足底との間を周回する足背底周回部を備えた伸縮性の装着具本体を有することを要旨とする。
【００１２】
前記装着具本体を帯体で構成することができ、当該帯体が前記足首周回部、前記踵周回部、及び前記足背底周回部を有することが好ましい。
【００１３】
前記足首周回部、前記踵周回部、及び前記足背底周回部をそれぞれ輪で構成することができ、前記足首周回部と前記踵周回部とを連結し、前記踵周回部と前記足背底周回部とを連結することが好ましい。
或いは、前記足首周回部、前記踵周回部、及び前記足背底周回部のうちいずれかを輪で構成し、前記足首周回部、前記踵周回部、及び前記足背底周回部のうち前記輪で構成しないものを帯体で構成することができ、前記足首周回部と前記踵周回部とを連結し、前記踵周回部と前記足背底周回部とを連結することが好ましい。前記帯体の一端の表側に表側面ファスナーを設け、該帯体の他端の裏側に裏側面ファスナーを設けることが好ましい。
【００１４】
前記装着具本体の一端の表側に設けられた表側面ファスナーと、前記装着具本体の他端の裏側に設けられた裏側面ファスナーとを備えることが好ましい。前記装着具本体の肌側面に、糸の編み合わせによるナノファイバーが配向されていることが好ましい。
【００１５】
本発明に係る装着方法は、上記足首用装着具の装着方法であって、
前記装着具本体の一端を足背の一側部から足底にまわすと共にその他端を足背の他側部から足底にまわして前記一端側の前記装着具本体と前記他端側の前記装着具本体とを足底で交差させる工程と、
前記一端側の前記装着具本体を内踝又は外踝の下部に当てると共に前記他端側の前記装着具本体を外踝又は内踝の下部に当てた状態で、踵において前記一端側の前記装着具本体と前記他端側の前記装着具本体とを交差させる工程と、
前記表側面ファスナーと前記裏側面ファスナーとを足首の前側に当て接着させる工程と、を有することを要旨とする。
【００１６】
本発明に係る足首固定用の伸縮ベルトは、スポーツ競技者の足首固定用の等幅伸縮ベルトであって、幅が２３ｍｍ〜２７ｍｍであり、長さが６００ｍｍ〜６８０ｍｍであることを要旨とする。
【００１７】
本発明に係る足首固定用の伸縮ベルトは、スポーツ競技者の足首固定用の等幅伸縮ベルトであって、幅が２８ｍｍ〜３２ｍｍであり、長さが７１０ｍｍ〜８１０ｍｍであることを要旨とする。
【発明の効果】
【００１８】
本発明によれば、踵周回部により踵がサポートされるので、踵の左右へのブレを抑制、すなわち踵の内反及び外反を抑制することができる。その結果、装着者は地面にバランスよく力を伝えることができるので、疲労負担が軽減される。特に、スポーツ競技者（アスリート）が装着すれば、足首が安定することで力のロスが軽減され、タイム及び跳躍記録などのパフォーマンスが向上する。
【００１９】
また、本発明に係る足首用装着具は、足首や踵を包み込むような形状で面積の大きい従来のサポーターとは異なり、比較的面積の小さい帯体等で構成することができるので、踵をピンポイントで良好にサポートすることができる。これにより、足の他の動作を妨げることなく、踵の内反と外反を抑制することができる。
【００２０】
また、踵周回部は踝の後方で周回するので、関節の動きを妨げることもない。さらに、本発明の足首用装着具は構造が至ってシンプルであり、持ち運びも苦にならない。
【００２１】
さらに、足背に足背底周回部の一部が配されるが、従来のように足背においてストラップが重なる構造ではないので、装着者の背屈動作や底屈動作を制限することがなく、装着負担も少ない。
【図面の簡単な説明】
【００２２】
【図１】（ａ）は本発明の一実施形態に係る足首用装着具を表側（肌側と逆側）から見た平面図であり、（ｂ）は足首用装着具を裏側（肌側）から見た平面図である。
【図２】装着具本体の各部を説明するための図である。
【図３】足首用装着具の第１装着工程を説明するための斜視図である。
【図４】足首用装着具の第２装着工程を説明するための斜視図である。
【図５】足首用装着具の第３装着工程を説明するための斜視図である。
【図６】本発明の足首用装着具の変形例を示す斜視図である。
【発明を実施するための形態】
【００２３】
以下、図面に示した実施の形態に基づいて本発明を詳細に説明する。
図１（ａ）は本発明の一実施形態に係る足首用装着具１を表側（肌側と逆側）から見た平面図であり、（ｂ）は足首用装着具１を裏側（肌側）から見た平面図である。
【００２４】
図１（ａ）に示すように、足首用装着具１は、伸縮性帯体である装着具本体２を有している。この装着具本体２の表側（肌側と逆側）の一端には表側面ファスナー３が設けられている。なお、装着具本体２の材質の例としては、ポリエステル、ナイロン、ポリウレタン、ポリプロピレン、ポリスチレン、ポリエチレン等が挙げられる。
【００２５】
また図１（ｂ）に示すように、装着具本体２の裏側（肌側）に、該装着具本体２とほぼ同じ長さのナノファイバー素材５を接合できる。ナノファイバー素材５は、例えばポリエステル糸とポリウレタン糸を編み合わせることにより装着具本体２の裏側面にナノファイバーが配向されているものである。このナノファイバー素材５により、装着時の装着具本体２の滑り止め（ズレ防止）を図ることができ、肌当たりも良くなる。その結果、装着者は長時間における装着においても不快感や違和感を持つことが少なくなる。なおナノファイバーの詳細については後述する。
【００２６】
上記ナノファイバー素材５に用いられるナノファイバー糸は、装着具本体２の長さ方向に沿って配向していることが好ましい。そうすれば、ナノファイバー糸が滑り方向に対して略垂直に配向することとなり、ナノファイバー糸による滑り止め効果をより高めることができる。
【００２７】
装着具本体２の裏側の一端（表側面ファスナー３が設けられた端部と逆側の端部）には裏側面ファスナー４が設けられている。この裏側面ファスナー４は装着時に上記の表側面ファスナー３と接着される。なお、接着手段として表側面ファスナー３と裏側面ファスナー４を用いたが、これに限定されるものではなく、バックルやベルト、フック等の他の接続手段を用いてもよい。
【００２８】
足首用装着具１のサイズの例としては、幅が２３ｍｍ〜２７ｍｍで長さが６００ｍｍ〜６８０ｍｍの主に女性用のもの、及び、幅が２８ｍｍ〜３２ｍｍで長さが７１０ｍｍ〜８１０ｍｍの主に男性用のものが挙げられる。足首用装着具１の幅が細すぎると肌に食い込む傾向があり、逆に太すぎると装着者がごわごわした感触を感じる傾向があるため、上記の範囲が望ましい。
【００２９】
足首用装着具１の厚みは例えば１ｍｍ〜３ｍｍとすることが好ましく、１．５ｍｍ〜２．５ｍｍとすることがより好ましい。厚みが１ｍｍ未満になると締付け力が弱まり、厚みが３ｍｍを超えると締付け力が過度になってしまうからである。
【００３０】
また、足首用装着具１の伸度は例えば１３０％〜１６０％とすることが好ましく、１４０％〜１５０％とすることがより好ましい。伸度が１３０％未満になると装具が足の動きに柔軟に対応できず、伸度が１６０％を超えると制限すべき足の動き（内外反）を制限し難くなるからである。
【００３１】
図２は装着具本体２の各部を説明するための図である。図２において、装着具本体２は、足背底周回部６ａ、踵周回部６ｂ，６ｂ、及び足首周回部６ｃ，６ｃを有している。足背底周回部６ａは装着具本体２の中央付近に配されており、この足背底周回部６ａの両側に踵周回部６ｂ，６ｂがそれぞれ配され、踵周回部６ｂ，６ｂの片側に足首周回部６ｃ，６ｃがそれぞれ配されている。
【００３２】
足背底周回部６ａは、装着状態において足背と足底との間（中足骨の皮膚周り）を周回する。これにより、足背と足底との間が足背底周回部６ａによりサポート（拘束）されるようになっている。踵周回部６ｂ，６ｂは、装着状態で踝の後方において踵を周回する。これにより、踵が踵周回部６ｂ，６ｂによりサポートされるようになっている。また、足首周回部６ｃ，６ｃは、装着状態で踝の上方において足首を周回する。これにより、足首が足首周回部６ｃ，６ｃによりサポートされるようになっている。
【００３３】
次いで、本発明の足首用装着具１の装着方法について図面を参照しつつ説明する。図３乃至図５は足首用装着具１の装着工程を説明するための斜視図である。なお、図３乃至図５では、足首用装着具１を一例として右足に装着する場合を説明する。
【００３４】
図３に示すように、最初に足首用装着具１の一端１ａを足背１０の一側部から足底１１にまわすと共にその他端１ｂを足背１０の他側部から足底１１にまわして一端側の足首用装着具１と他端側の足首用装着具１とを足底１１で交差させる。これにより、足背底周回部６ａが足背１０と足底１１との間を周回することで、足背１０と足底１１との間が足背底周回部６ａによりサポートされる。なお、足首用装着具１を足底１１で交差させることで締め付けをしっかり行うことができる。
【００３５】
続いて図４に示すように、上記の一端１ａ側の足首用装着具１を外踝１２の下部に当てると共に上記の他端１ｂ側の足首用装着具１を内踝１３の下部に当てた状態で、踵１４において一端１ａ側の足首用装着具１と他端１ｂ側の足首用装着具１とを交差させる。これにより、踵周回部６ｂ，６ｂが外踝１２、内踝１３の後方において踵１４を周回することで、踵１４が踵周回部６ｂ，６ｂによりサポートされる。なお、足首用装着具１を踵１４で交差させることで締め付けをしっかり行うことができる。
【００３６】
次に図５に示すように、表側面ファスナー３と裏側面ファスナー４とを足首１５の前側に当て接着させる。これにより、足首周回部６ｃ，６ｃが外踝１２、内踝１３の上方において足首１５を周回することで、足首１５が足首周回部６ｃ，６ｃによりサポートされる。
【００３７】
このように、足背１０と足底１１との間に足背底周回部６ａを巻き付け、足首１５に足首周回部６ｃを巻き付けることによって、踵周回部６ｂによる踵１４のサポート効果を最大限引き出せるようになっている。
【００３８】
以上の通り、本発明の足首用装着具１によれば、踵周回部６ｂにより踵がサポートされるので、踵の左右へのブレを抑制、すなわち踵の内反及び外反を抑制することができる。その結果、装着者は地面にバランスよく力を伝えることができるので、疲労負担が軽減される。特に、スポーツ競技者（アスリート）が装着すれば、足首が安定することで力のロスが軽減され、タイム及び跳躍記録などのパフォーマンスが向上する。足首用装着具１の幅、厚み、及び伸度の範囲を上述のように最適化することでパフォーマンスがより向上する。
【００３９】
また、本発明の足首用装着具１は、足首や踵を包み込むような形状で面積の大きい従来のサポーターとは異なり、比較的面積の小さい帯体から構成されるので、踵をピンポイントで良好にサポートすることができる。
【００４０】
また、踵周回部６ｂは踝の後方で周回するので、関節の動きを妨げることもない。さらに、本発明の足首用装着具１は帯体であるので構造が至ってシンプルであり、持ち運びも苦にならない。
【００４１】
また、足背に足背底周回部６ａが配されるが、従来のようにストラップが重なる構造ではないので、装着者の背屈動作や底屈動作を制限することがなく、装着負担も少ない。
さらに、一本の帯体からなる足首用装着具１を巻き付けて装着する構成であるので、装着者は簡易に着脱を行うことができる。
なお、足首用装着具１の変形例として次のように構成してもよい。図６は本発明の足首用装着具の変形例を示す斜視図である。
【００４２】
図６に示すように、足首用装着具２０は、それぞれ輪で構成された足背底周回部６ａ、踵周回部６ｂ、及び足首周回部６ｃを有する。足首周回部６ｃと踵周回部６ｂとが連結され、踵周回部６ｂと足背底周回部６ａとが連結される。なお、上記の連結部分を単層として足背底周回部６ａ、踵周回部６ｂ、及び足首周回部６ｃを一体的に構成することもできるし、該連結部分を複層として各輪を繋ぎ合わせて構成することもできる。このように、足首用装着具２０は、帯体である上述の足首用装着具１と異なり、伸縮性の複数の輪で構成することが可能なものである。なお、足背底周回部６ａ、踵周回部６ｂ、及び足首周回部６ｃのうちいずれかを帯体で構成し、面ファスナーを設けて着脱式とすることもできる。
【００４３】
ここで、上述のナノファイバー素材について説明する。
本発明において、ナノファイバーとは繊維径が１μｍ以下の繊維を意味する。繊維径とは、単繊維の直径を意味する。単繊維の断面形状が円形でない異形断面の場合には、単繊維の異形断面の外接円と内接円の直径の平均値を繊維径とする。繊維径は、好ましくは９００ｎｍ以下であり、より好ましくは８００ｎｍ以下である。繊維径の下限は特に限定されないが、ナノファイバーの製造容易性の点から、繊維径は１００ｎｍ以上が好ましく、２００ｎｍ以上がより好ましい。
【００４４】
ナノファイバーの種類は特に限定されず、レーヨン等の再生繊維、アセテート等の半合成繊維、あるいは合成繊維等を用いることができる。ナノファイバーが合成繊維である場合、その材質として、ポリエチレンテレフタレート、ポリトリメチレンテレフタレート、ポリブチレンテレフタレート等のポリエステル類；ナイロン６、ナイロン６６等のポリアミド類等が挙げられる。ナノファイバーの断面形状は特に限定されず、円形、楕円形、多角形、星形等が挙げられる。
【００４５】
本発明では、ナノファイバーが複数束ねられて、編布を構成するための糸が形成されている。すなわち、ナノファイバーはマルチフィラメント糸として編布中に配されている。ナノファイバーを含むマルチフィラメント糸は、糸条断面のナノファイバー数が５００本〜２００００本であることが好ましく、１０００本〜１５０００本であることがより好ましい。ナノファイバーを含むマルチフィラメント糸は、ナノファイバーより繊維径の大きい繊維を含んでいてもよい。ナノファイバーを含むマルチフィラメントは、例えば、特開２００５−３２５４９４号公報や特開２００７−９３３９号公報に記載される方法に従い製造することができる。
【００４６】
上記編布の編組織は特に限定されず、公知の編組織を採用すればよい。編布の編組織としては、平編、ゴム編、両面編、ハーフ編等が挙げられる。なお、編布はナノ繊維糸のみから構成されていてもよく、ナノ繊維糸とナノ繊維を含まない糸とから構成されていてもよい。
【００４７】
ナノファイバーを含む上記マルチフィラメント糸の繊度は特に限定されないが、繊度は１０ｄｔｅｘ以上が好ましく、２０ｄｔｅｘ以上がより好ましく、５００ｄｔｅｘ以下が好ましく、３００ｄｔｅｘ以下がより好ましい。ナノファイバーを含むマルチフィラメント糸がこのような繊度を有していれば、マルチフィラメント糸が適度な強度を有するようになるとともに、マルチフィラメント糸から編布を容易に形成できるようになる。
【００４８】
このようなナノファイバー糸から構成されたナノファイバー素材は、繊維の比表面積が大きくなるとともに、多数の繊維間隙が存在するようになる。そのため、ナノファイバー素材は肌等に対し高い吸着性を有し、高い滑り止め効果を奏する。なお、上記ナノファイバー素材として編布を採用したが、これに限定されるものではなく、該編布と同様の伸度を確保できるのであれば織布を採用することもできる。
【００４９】
以上が本発明を実施するための形態であるが、本発明はもとより上記実施形態によって制限を受けるものではなく、本発明の趣旨に適合し得る範囲で適当に変更を加えて実施することも勿論可能であり、それらはいずれも本発明の技術的範囲に包含される。
【符号の説明】
【００５０】
１，２０  足首用装着具
２    装着具本体
３    表側面ファスナー
４    裏側面ファスナー
５    ナノファイバー素材
６ａ  足背底周回部
６ｂ  踵周回部
６ｃ  足首周回部
１０  足背
１１  足底
１２  外踝
１３  内踝
１４  踵
１５  足首
【図１】
2014198159.tif 000003
【図２】
2014198159.tif 000004
【図３】
2014198159.tif 000005
【図４】
2014198159.tif 000006
【図５】
2014198159.tif 000007
【図６】
2014198159.tif 000008